(57)【特許請求の範囲】
【請求項１】
両端部のみが固定されて他の部位においては支持されない付加梁が、その固有振動数が前記付加梁の固有振動数とは異なる床スラブ下面に沿って配設された制振構造において、
前記付加梁と前記床スラブ下面との間に介設された減衰材が、前記床スラブ下面と前記付加梁とで直接的に挟み込まれて、前記床スラブの固有振動数と前記付加梁の固有振動数との相違によって生じる前記床スラブと前記付加梁との間の相対変形を吸収して前記床スラブの振動を低減することを特徴とする床スラブの制振構造。
【請求項２】
両端部のみが固定されて他の部位においては支持されない付加梁が、その固有振動数が前記付加梁の固有振動数とは異なる梁に沿って配設された制振構造において、
前記付加梁と前記梁との間に介設された減衰材が、前記梁と前記付加梁とで直接的に挟み込まれて、前記梁の固有振動数と前記付加梁の固有振動数との相違によって生じる前記梁と前記付加梁との間の相対変形を吸収して前記梁の振動を低減することを特徴とする梁の制振構造。
【発明の詳細な説明】
【０００１】
【発明の属する技術分野】
本発明は、建物の床又は梁の制振構造に関する。
【０００２】
【従来の技術】
従来のこの種の制振構造としては、床免震装置を設置したものや、床又は梁の固有振動数に同調させた重錘（チューンド・マス・ダンパー）を設置したものが知られている。
【０００３】
【発明が解決しようとする課題】
しかしながら、床免震装置を設置する場合は多数設置しなければならないためコスト高になり、一方、チューンド・マス・ダンパーを設置する場合は重錘の固有振動数を床又は梁の固有振動数と精度良く同調させるのが大変面倒で施工に手間がかかるという不都合がある。
【０００４】
本発明はかかる不都合を解消するためになされたものであり、低コストで施工性に優れた制振構造を提供することを目的とする。
【０００５】
【課題を解決するための手段】
かかる目的を達成するために、請求項１に係る発明は、両端部のみが固定されて他の部位においては支持されない付加梁が、その固有振動数が前記付加梁の固有振動数とは異なる床スラブ下面に沿って配設された制振構造において、前記付加梁と前記床スラブ下面との間に介設された減衰材が、前記床スラブ下面と前記付加梁とで直接的に挟み込まれて、前記床スラブの固有振動数と前記付加梁の固有振動数との相違によって生じる前記床スラブと前記付加梁との間の相対変形を吸収して前記床スラブの振動を低減することを特徴としている。
また、請求項２に係る発明は、両端部のみが固定されて他の部位においては支持されない付加梁が、その固有振動数が前記付加梁の固有振動数とは異なる梁に沿って配設された制振構造において、前記付加梁と前記梁との間に介設された減衰材が、前記梁と前記付加梁とで直接的に挟み込まれて、前記梁の固有振動数と前記付加梁の固有振動数との相違によって生じる前記梁と前記付加梁との間の相対変形を吸収して前記梁の振動を低減することを特徴としている。
【０００６】
【作用】
床（又は梁）の固有振動数と付加梁の固有振動数との相違によって生じる床（又は梁）と付加梁との間の相対変形を減衰材で吸収して床（又は梁）の振動を低減する。
【０００７】
【発明の実施の形態】
以下、本発明の実施の形態を図を参照して説明する。図１は本発明の第１の実施の形態である制振構造を説明するための説明的概略図、図２は図１のＩＩ−ＩＩ線概略断面図、図３は本発明の第２の実施の形態である制振構造を説明するための説明的概略図、図４は図３のＩＶ−ＩＶ線概略断面図、図５は本発明の第３の実施の形態である制振構造を説明するための説明的概略図、図６は図５のＶＩ−ＶＩ線概略断面図である。
【０００８】
まず、図１及び図２を参照して本発明の第１の実施の形態である制振構造を説明すると、この制振構造は、床スラブ１の下方位置に付加梁（鉄骨梁）２を平行に配設し、付加梁２と床スラブ１との間に粘性体や粘弾性体などからなる減衰材３を介設して該減衰材３を床スラブ１と付加梁２とで挟み込むようにしたものである。付加梁２は該付加梁２の幅方向で互いに隣り合う柱４，４間に等間隔で３本配設されており、また、減衰材３は付加梁２の長手方向に等間隔で３箇所配設されている。なお、この実施の形態では、付加梁２の両端部を図示しないブラケットなどを介して壁部５に固定するようにしているが、付加梁２の端部に梁や柱が有る場合には、これらに付加梁２の端部を固定することになるのは言うまでもない。
【０００９】
かかる構成の制振構造においては、床スラブ１の固有振動数と付加梁２の固有振動数との相違によって生じる床スラブ１と付加梁２との間の相対変形を減衰材３で吸収して床の上下方向の振動を低減する。したがって、床スラブ１と付加梁２とは各固有振動数が一致しないように設置するが、このことは、各固有振動数を同調させる場合よりはるかに手間を軽減できることを意味する。
【００１０】
このようにこの実施の形態の制振構造においては、床スラブ１に沿って付加梁２を配設してこの付加梁２と床スラブ１との間に減衰材３を介設するだけで床の振動低減効果を得ることができるので、従来に比べて、コスト低減を図ることができるとともに施工にかかる手間を大幅に軽減することができる。
【００１１】
次に、図３及び図４を参照して本発明の第２の実施の形態である制振構造を説明すると、この制振構造は、梁１０の幅方向（水平方向）の一側部に沿って付加梁（鉄骨梁）１１を平行に配設し、この付加梁１１と梁１０との間に粘性体や粘弾性体などからなる減衰材１２を介設して該減衰材１２を梁１０と付加梁１１とで挟み込むようにしたものである。なお、この実施の形態では、付加梁１１の両端部を梁１０と直交する方向で柱１３に固定された梁１４に図示しないブラケットなどを介して固定するようにしているが、柱１３が大きくて付加梁１１の端部に柱１３が位置する場合には、この柱１３に付加梁１１の端部を固定することになるのは言うまでもない。
【００１２】
かかる構成の制振構造においては、梁１０の固有振動数と付加梁１１の固有振動数との相違によって生じる梁１０と付加梁１１との間の相対変形を減衰材１２で吸収して梁１０の上下方向の振動を低減する。したがって、梁１０と付加梁１１とは各固有振動数が一致しないように設置するが、このことは、各固有振動数を同調させる場合よりはるかに手間を軽減できることを意味する。
【００１３】
このようにこの実施の形態の制振構造においては、梁１０に沿って付加梁１１を配設してこの付加梁１１と梁１０との間に減衰材１２を介設するだけで梁１０の振動低減効果を得ることができるので、従来に比べて、コスト低減を図ることができるとともに施工にかかる手間を大幅に軽減することができる。
【００１４】
次に、図５及び図６を参照して本発明の第３の実施の形態である制振構造を説明すると、この制振構造は、梁２０に沿って付加梁（鉄骨梁）２１を配設したものである。この付加梁２１は、梁２０の下側部に沿って平行に配置された底板２２と、底板２２の幅方向の両側部から上方に立ち上がって梁２０の幅方向の両側部にそれぞれ平行に対面する側板２３，２４とによって断面略Ｕ字形状に形成されている。そして、この付加梁２１の底板２２及び側板２３，２４と梁２０との間に粘性体や粘弾性体などからなる断面略Ｕ字状の減衰材２５を介設して該減衰材２５を梁２０と付加梁２１とで挟み込むようにしたものである。なお、付加梁２１の両端部は、梁２０と同様に柱２６に図示しないブラケットなどを介して固定されている。
【００１５】
かかる構成の制振構造においては、梁２０の固有振動数と付加梁２１の固有振動数との相違によって生じる梁２０と付加梁２１との間の相対変形を減衰材２５で吸収して梁２０の上下方向の振動を低減する。したがって、梁２０と付加梁２１とは各固有振動数が一致しないように設置するが、このことは、各固有振動数を同調させる場合よりはるかに手間を軽減できることを意味する。
【００１６】
このようにこの実施の形態の制振構造においては、梁２０に沿って付加梁２１を配設してこの付加梁２１と梁２０との間に減衰材２５を介設するだけで梁２０の振動低減効果を得ることができるので、従来に比べて、コスト低減を図ることができるとともに施工にかかる手間を大幅に軽減することができる。
【００１７】
【発明の効果】
上記の説明から明らかなように、本発明によれば、床又は梁に沿って付加梁を配設してこの付加梁と床又は梁との間に減衰材を介設するだけで床又は梁の振動低減効果を得ることができるので、従来に比べて、コスト低減を図ることができるとともに施工にかかる手間を大幅に軽減することができるという効果が得られる。
【図面の簡単な説明】
【図１】本発明の第１の実施の形態である制振構造を説明するための説明的概略図である。
【図２】図１のＩＩ−ＩＩ線概略断面図である。
【図３】本発明の第２の実施の形態である制振構造を説明するための説明的概略図である。
【図４】図３のＩＶ−ＩＶ線概略断面図である。
【図５】本発明の第３の実施の形態である制振構造を説明するための説明的概略図である。
【図６】図５のＶＩ−ＶＩ線概略断面図である。
【符号の説明】
１…床
１０，２０…梁
２，１１，２１…付加梁
３，１２，２５…減衰材
【図１】
0004155530.tif 000002
【図２】
0004155530.tif 000003
【図３】
0004155530.tif 000004
【図４】
0004155530.tif 000005
【図５】
0004155530.tif 000006
【図６】
0004155530.tif 000007